(57)【要約】【課題】  ユーザに故障したのではないか、また撮影に失敗したのではないかという疑念を生じさせない画像再生装置およびその画像再生装置の機能を有する撮像装置を提供する。【解決手段】  高解像度のデジタルカメラで撮影された原画像データに基づく原画像の再生を行なえない場合には、その再生を行なえない画像を示すサムネイル画像の表示領域を非表示（斜線で示してある）とすることで再生不能であることを明示する。このようにしておくと、その非表示の部分が操作により指定されることがなくなり、不鮮明な原画像が表示されることがなくなる。その結果、画像再生装置が壊れたのではないかという疑念をユーザに生じさせることがない。【選択図】    図７
2005150952.tif 000002
【特許請求の範囲】
【請求項１】
原画像を表わす原画像データと該原画像のサムネイル画像を表わすサムネイル画像データとの双方が記録された、着脱自在な可搬型メモリを装着して該可搬型メモリに記録された原画像データおよびサムネイル画像データに基づく原画像およびサムネイル画像を表示画面上に表示する画像再生装置において、
前記表示画面上に、操作に応じて複数のサムネイル画像を並べたインデックス画像を表示するとともに、表示されたインデックス画像中の操作に応じて指定された一つのサムネイル画像に対応する原画像を表示する表示制御部を備え、
前記表示制御部が、インデックス画像を構成する複数のサムネイル画像それぞれに対応する各原画像が、所定の画像サイズ以内の画像データであるか否かを判定する判定手段を備え、インデックス画像の表示にあたり、前記判定手段により所定の画像サイズを超える画像サイズを有する原画像に対応するサムネイル画像の表示領域に原画像の表示が不能であることが表示されたインデックス画像を表示するものであることを特徴とする画像再生装置。
【請求項２】
前記表示制御部は、インデックス画像の表示にあたり、前記判定手段により所定の画像サイズを超える画像サイズを有する原画像に対応するサムネイル画像の表示に代わり、原画像の表示が不能であることが表示されたインデックス画像を表示するものであることを特徴とする請求項１記載の画像再生装置。
【請求項３】
前記表示制御部は、インデックス画像の表示にあたり、前記判定手段により所定の画像サイズを超える画像サイズを有する原画像に対応するサムネイル画像の表示とともに、原画像の表示が不能であることが表示されたインデックス画像を表示するものであることを特徴とする請求項１記載の画像再生装置。
【請求項４】
着脱自在な可搬型メモリが装着され、被写体を捉えた撮影を行なうことにより被写体の撮影画像である原画像を表わす原画像データと該原画像のサムネイル画像を表わすサムネイル画像データとの双方を該可搬型メモリに記録する撮影モードと、可搬型メモリに記録された原画像データおよびサムネイル画像データに基づく原画像およびサムネイル画像を表示画面上に表示する再生モードとを有する撮像装置において、
前記表示画面上に、操作に応じて複数のサムネイル画像を並べたインデックス画像を表示するとともに、操作に応じて表示されたインデックス画像中の指定された一つのサムネイル画像に対応する原画像を表示する表示制御部を備え、
前記表示制御部が、インデックス画像を構成する複数のサムネイル画像それぞれに対応する各原画像が、所定の画像サイズ以内の画像データであるか否かを判定する判定手段を備え、インデックス画像の表示にあたり、前記判定手段により所定の画像サイズを超える画像サイズを有する原画像に対応するサムネイル画像の表示領域に原画像の表示が不能であることが表示されたインデックス画像を表示するものであることを特徴とする撮像装置。
【発明の詳細な説明】
【技術分野】
【０００１】
本発明は、原画像を表わす原画像データとその原画像のサムネイル画像を表わすサムネイル画像データとの双方が記録された、着脱自在な可搬型メモリを装着してその可搬型メモリに記録された原画像データおよびサムネイル画像データに基づく原画像およびサムネイル画像を表示画面上に表示する画像再生装置、その画像再生装置の機能を有する撮像装置に関する。
【背景技術】
【０００２】
従来より表示画面を備えたデジタルカメラの中には画像再生装置の機能を備えたものがある。この画像再生装置の機能を用いると、着脱自在な可搬型メモリをデジタルカメラに装着しさえすれば、その装着された可搬型メモリに記録されている画像を表示画面上に表示することができる。
【０００３】
ところで、撮像素子の高解像度化に伴い、いままでのデジタルカメラに比べて解像度の高いデジタルカメラが比較的購入し易い価格で発売され始めている。このため、いままでのデジタルカメラに加えて、そのデジタルカメラよりも解像度の高いデジタルカメラを購入しようというユーザが増えてきている。そうするとユーザによっては２台のデジタルカメラを持ち歩いて、専門的な写真を撮影する場合には高解像度のデジタルカメラで撮影して、スナップ写真として残しておきたい程度の写真を撮影する場合にはいままでの低解像度のデジタルカメラで撮影することが考えられる。このような場合には、双方のデジタルカメラで撮影した原画像が着脱自在な一枚のメモリカードに共通に記録されることもある。
【０００４】
このように解像度の異なる２台のデジタルカメラで撮影された画像データが一枚の可搬型メモリに共通に記録されると、高解像度のデジタルカメラで撮影した画像を低解像度のデジタルカメラで再生してしまうことが予想される。
【０００５】
ここで、再生モードを有するデジタルカメラの再生時の表示画面を説明する。
【０００６】
再生モードを有するデジタルカメラの中には、その再生モードに切り換えると、表示画面に可搬型メモリに記録された原画像のサムネイル画像を並べたインデックス画像が表示されるものがある。
【０００７】
図１は、再生モードに切り換えられることで表示画面上に表示されるインデックス画像の一例を示す図である。
【０００８】
図１に示すインデックス画像１０を構成する複数のサムネイル画像１〜９の中には、この再生表示を行なっているデジタルカメラの解像度以下で撮影された原画像のサムネイル画像とこのデジタルカメラの解像度よりも高解像度のデジタルカメラで撮影された原画像のサムネイル画像の２種類が含まれている。このように原画像が高解像度であっても低解像であっても、インデックス画像１０として複数のサムネイル画像１〜９が表示画面上に表示され、操作によりそのインデックス画像の中からいずれかのサムネイル画像例えば符号５で示すサムネイル画像が指定されると、その指定されたサムネイル画像に対応する原画像１１が表示される。
【０００９】
図２（ａ）は図１の符号５で示すサムネイル画像（原画像が低解像である）が指定されたときに、その指定されたサムネイル画像に対応する原画像１１が表示画面１０上に表示された場合の例を示す図である。
【００１０】
図２（ｂ）は図１の符号２で示すサムネイル画像（原画像が高解像度である）が指定されたときに、その指定されたサムネイル画像に対応する原画像１１が表示画面１０上に表示された場合の例を示す図である。
【００１１】
図２（ａ）に示すように、このデジタルカメラが有する解像度以下のデジタルカメラで撮影された低解像度の原画像に対応するサムネイル画像（符号５で示す）が指定された場合には、問題なく表示されるが、図２（ｂ）に示すように、この再生表示を行なっているデジタルカメラが有する解像度よりも高解像度のデジタルカメラで撮影した高解像度の原画像をこのデジタルカメラで再生しようすると、その原画像の画像サイズがデジタルカメラ内部の処理サイズである所定の画像サイズを超えてしまうため画像がきちんと表示されない。このようなことがあると、カメラが故障したのではないかという疑念をユーザに生じさせることにもなりかねない。
【００１２】
そこで、そういった疑念を生じさせないために表示された画像がそのままプリント画像にならないことを前提とした上で、サムネイル画像を拡大表示させることを行っている場合もある。
【００１３】
図２（ｃ）は図１のインデックス画像を構成するサムネイル画像を操作に応じてサムネイル画像の拡大像１３を表示させた例を示す図である。
【００１４】
このサムネイル画像を拡大表示させる技術は、特許文献１に開示されているが、この特許文献１は連続再生モード時の再生時間の短縮を目的としてサムネイル画像の拡大表示を行なっているものであって、通常の画像表示においてサムネイル画像１３を図２（ｃ）に示すように拡大表示させると粗い画像になってしまう。そうすると今度は高解像度で撮影したはずの原画像が粗いものになってしまって自分の持っているデジタルカメラが故障したのではないかという疑念をユーザに生じさせてしまう。
【特許文献１】特許第３１７７４８３号公報
【発明の開示】
【発明が解決しようとする課題】
【００１５】
本発明は、上記事情に鑑み、ユーザに故障したのではないかという疑念を生じさせない画像再生装置およびその画像再生装置の機能を有する撮像装置を提供することを目的とする。
【課題を解決するための手段】
【００１６】
上記目的を達成する本発明の画像再生装置は、原画像を表わす原画像データとその原画像のサムネイル画像を表わすサムネイル画像データとの双方が記録された、着脱自在な可搬型メモリを装着してその可搬型メモリに記録された原画像データおよびサムネイル画像データに基づく原画像およびサムネイル画像を表示画面上に表示する画像再生装置において、
上記表示画面上に、操作に応じて複数のサムネイル画像を並べたインデックス画像を表示するとともに、表示されたインデックス画像中の操作に応じて指定された一つのサムネイル画像に対応する原画像を表示する表示制御部を備え、
上記表示制御部が、インデックス画像を構成する複数のサムネイル画像それぞれに対応する各原画像が、所定の画像サイズ以内の画像データであるか否かを判定する判定手段を備え、インデックス画像の表示にあたり、上記判定手段により所定の画像サイズを超える画像サイズを有する原画像に対応するサムネイル画像の表示領域に原画像の表示が不能であることが表示されたインデックス画像を表示するものであることを特徴とする。
【００１７】
本発明の画像再生装置によれば、上記判定手段により上記所定の画像サイズを超える画像サイズを有する原画像であると判定された場合には、インデックス画像を構成する各サムネイル画像の表示領域にその原画像の表示が不能であることが表示される。そうするとその原画像の表示が不能であることが表示されたサムネイル画像を操作して原画像を再生しようとする操作が行なわれなくなる。その結果、図２（ｂ）に示すような原画像が再生されることがなくなり、この画像再生装置が壊れたのではないかという疑念をユーザに生じさせることがない。
【００１８】
ここで、上記表示制御部は、インデックス画像の表示にあたり、上記判定手段により所定の画像サイズを超える画像サイズを有する原画像に対応するサムネイル画像の表示に代わり、原画像の表示が不能であることが表示されたインデックス画像を表示するものであっても、上記判定手段により所定の画像サイズを超える画像サイズを有する原画像に対応するサムネイル画像の表示とともに、原画像の表示が不能であることが表示されたインデックス画像を表示するものであっても良い。
【００１９】
上記目的を達成する本発明の撮像装置は、着脱自在な可搬型メモリが装着され、被写体を捉えた撮影を行なうことにより被写体の撮影画像である原画像を表わす原画像データと該原画像のサムネイル画像を表わすサムネイル画像データとの双方をその可搬型メモリに記録する撮影モードと、可搬型メモリに記録された原画像データおよびサムネイル画像データに基づく原画像およびサムネイル画像を表示画面上に表示する再生モードとを有する撮像装置であって、
上記表示画面上に、操作に応じて複数のサムネイル画像を並べたインデックス画像を表示するとともに、操作に応じて表示されたインデックス画像中の指定された一つのサムネイル画像に対応する原画像を表示する表示制御部を備え、
上記表示制御部が、インデックス画像を構成する複数のサムネイル画像それぞれに対応する各原画像が、所定の画像サイズ以内の画像データであるか否かを判定する判定手段を備え、インデックス画像の表示にあたり、上記判定手段により所定の画像サイズを超える画像サイズを有する原画像に対応するサムネイル画像の表示領域に原画像の表示が不能であることが表示されたインデックス画像を表示するものであることを特徴とする。
【００２０】
このようにこの撮像装置が上記画像再生装置の機能を備えたものであると、上記画像再生装置の作用がこの撮像装置にも適用される。
【発明の効果】
【００２１】
以上、説明したように、ユーザに故障したのではないかという疑念を生じさせない画像再生装置およびその画像再生装置の機能を有する撮像装置が実現される。
【発明を実施するための最良の形態】
【００２２】
以下図面を参照して本発明の実施の形態を説明する。
【００２３】
以下、本発明の実施形態として本発明の画像再生装置の機能を有する撮像装置の一例としてデジタルカメラを例に挙げて説明する。
【００２４】
図３（ａ）はその撮像装置の一例として挙げられるデジタルカメラ１００の外観を斜め前方から見た構成斜視図である。また、図３（ｂ）はそのデジタルカメラ１００の外観を斜め後方から見た構成斜視図である。
【００２５】
このデジタルカメラ１００は、着脱自在な可搬型メモリ（図示せず）が装着され、被写体を捉えた撮影を行なうことにより被写体の撮影画像である原画像を表わす原画像データとその原画像のサムネイル画像を表わすサムネイル画像データとの双方をその可搬型メモリに記録する撮影モードと、可搬型メモリに記録された原画像データおよびサムネイル画像データに基づく原画像およびサムネイル画像を表示画面上に表示する再生モードとを有するものである。この再生モードと撮影モードとの切換は図３（ｂ）に示すモード切換スイッチ１０９により行われる。
【００２６】
まず、図３（ａ），図３（ｂ）を参照してこのデジタルカメラの構成を簡単に説明する。
【００２７】
図３（ａ）に示すようにカメラボディ１００ａの中央にレンズ鏡胴１０１が備えられており、そのレンズ鏡胴１０１の上方にファインダの対物窓１０２が設けられている。このファインダの対物窓１０２を通して得られる被写体像をカメラボディ背面にあるファインダの接眼部から覗いて被写体を視認することによりフレーミングを行なうこともできるが、このファインダの代わりにカメラボディ背面に設けられているＬＣＤパネルに表示されるスルー画像によってもフレーミングを行なえる。
【００２８】
図１（ｂ）に示すようにカメラボディ１００ａの背面には表示画面としてＬＣＤパネル１０３ａが設けられている。このＬＣＤパネル１０３ａの横には操作キーである十字キー１０４が設けられており、その十字キー１０４にはＵＰキー１０４ａ、ＤＯＷＮキー１０４ｂ、ＦＦキー１０４ｃ、ＲＥＷキー１０４ｄの４つのキーがある。また、その十字キー１０４の下方には、ＬＣＤパネル１０３ａにメニューを表示させるためのメニュー釦１０５と、そのメニュー釦１０５が押されたときにＬＣＤパネル１０３ａ上に表示されるメニューの中からいずれかの選択項目を指定するために操作される決定釦１０６と、選択項目を指定した後その指定をキャンセルする際に操作されるキャンセル釦１０７とがある。
【００２９】
さらにカメラボディ１００ａ上面にはレリーズ釦１０８とモード切換スイッチ１０９が設けられており、このモード切換スイッチ１０９が撮影側に切り換えられると、撮影モードになってレンズ鏡胴１０１に内蔵された撮影レンズにより捉えた被写体がＬＣＤパネル１０３ａ上にスルー画像として表示される。そのスルー画像を見ながらシャッタチャンスにレリーズ釦１０８により撮影操作が行なわれたらその撮影操作に応じて画像データが画像ファイルとして可搬型メモリに記録される。この画像ファイルは、画像データと撮影情報を含むヘッダとからなり、そのヘッダの中に原画像の縮小画像であるサムネイル画像が記録されている。
【００３０】
またモード切換スイッチ１０９が再生モードに切り換えられると、可搬型メモリに記憶されている多数の画像ファイルのうち、いずれかの画像ファイルの中の画像データに基づく画像が表示画面上に表示される。この例のデジタルカメラには、再生モードのメニューの中に原画像表示モードとサムネイル画像表示モードとが配備されており、サムネイル画像表示モードが指定された場合には、可搬型メモリ中の多数の画像ファイルの中から各サムネイル画像が読み出されてそれらのサムネイル画像データに基づくインデックス画像（図１参照）がＬＣＤパネル１０３ａ上に表示される。このインデックス画像を見て十字キー１０４の操作により画像が指定され決定釦１０６が押された場合には、その指定されたサムネイル画像に対応する原画像がＬＣＤパネル１０３ａ上に表示される。また、原画像表示モードが指定された場合には、可搬型メモリ中の多数の画像ファイルのうち、いずれかの画像ファイルの中の画像データに基づく原画像がＬＣＤパネル１０３ａ上に表示される。これらのモードのうち、いずれかのモードが一旦設定されると、その設定されたモードで表示が行なわれる。
【００３１】
図４は図３のデジタルカメラの内部構成を示す構成ブロック図である。
【００３２】
図４には撮影モード時の画像データの流れと再生モード時の画像データの流れが分かる部分だけが示されている。
【００３３】
図４の各部はＤＳＰ１１４により統括的に制御されている。図示はしていないが、このＤＳＰ１１４はプログラムが記録されている不揮発性メモリを有しており、その不揮発性メモリ内のプログラムにしたがって各部を制御する。また、図３（ａ）、（ｂ）に示すスイッチ類からの操作信号もこのＤＳＰ１１４に供給されており、各操作信号に応じて処理が行われる。また、図３（ｂ）に示すメニュー釦１０５が操作されたときにはサムネイル画像表示モード、原画像表示モードといった選択項目を持つメニュー画面の表示も行なっている。前述したように、これらの選択項目のうち、サムネイル画像表示モードが十字キー１０４のいずれかのキーが操作され選択された後決定釦が押されると、複数のサムネイル画像からなるインデックス画像がＬＣＤパネル１０３ａ上に表示され、原画像表示モードが選択され決定釦が押されると原画像がＬＣＤパネル１０３ａ上に表示される。
【００３４】
再生モード時の処理を説明する前に、このデジタルカメラのモード切換スイッチ１０９が撮影モード側に切り換えられた時の撮影処理を簡単に説明しておく。
【００３５】
被写体像を表わす画像データが撮像素子（ここではＣＣＤ固体撮像素子が使用されているので以下ＣＣＤという）１１０で生成され後段のＣＤＳ１１１に出力されている。このＣＣＤ１１０には受光素子が２次元的に多数配列されており、これらの受光素子一つ一つに電荷が蓄積されて被写体像が生成される。この電荷の蓄積のタイミングを調整しているのがタイミングジェネレータ（以下ＴＧという）１１０１とＤＳＰ１１４である。レリーズ操作に応じてＤＳＰ１１４のＴＧ・Ｖドライバ制御部１１４９からの指示に基づいてタイミングジェネレータ１１０１からＣＣＤ１１０に蓄積開始タイミング信号が供給されると、ＣＣＤ１１０ではそのタイミング信号に同期して電荷の蓄積が開始されて、またＴＧ・Ｖドライバ制御部１１４９からの指示に基づいてタイミングジェネレータ１１０１からＶドライバ１１０２を経てＣＣＤ１１０に電荷掃き出しタイミング信号が供給されると、そのタイミング信号に同期して、各受光素子に蓄積された電荷がＣＤＳ１１１側に順次出力される。この蓄積開始タイミングと電荷掃き出しタイミングとで決定される時間がシャッタスピードに相当する。なお、スルー画像を生成するにあたり、ＤＰＳ１１４はＴＧ１１０１を制御して例えば３３ｍｓごとにＴＧ１１０１からタイミング信号をＣＣＤ１１０に供給して、ＣＣＤ側で間引きを行った画素データを３３ｍｓごとにＣＤＳ１１１側に出力させ、その３３ｍｓごとに出力させた画像データをＬＣＤ１１７に供給してＬＣＤパネル上にその画像データに基づく画像をスルー画像として表示させている。
【００３６】
ＣＤＳ（Ｃｏｒｒｅｌａｔｅｄ  Ｄｏｕｂｌｅ  Ｓａｍｐｌｉｎｇの略）１１１では、画像データに乗っている雑音の低減が行われ、さらにＡＧＣ（Ａｕｔｏ  Ｇａｉｎ  Ｃｏｎｔｒｏｌの略）１１２で振幅の調整が行なわれてＡＧＣ１１２から出力される信号のレベルが調整される。
【００３７】
このようにしてレベルが調整されたＲＧＢ信号がＡ／Ｄコンバータ（以下ＡＤＣという）１１３を介して後段のＤＳＰ１１４へと供給される。このＤＳＰ１１４では、画像処理をＤＳＰ１１４内の各部で行なうにあたり、ＣＣＤ１１０で生成された画素データすべてを一旦ＳＤＲＡＭ１１５に記憶して、その後ＳＤＲＡＭ１１５から画素データを読み出し、それらの画素データに各部で処理を施している。
【００３８】
このＤＳＰ１１４は、画像処理を行うためのホワイトバランス調整部１１４１と補間処理部１１４２とＹＵＶ変換部１１４３とＬＰＦ処理部１１４４とＪＰＥＧ圧縮部１１４５とを備えており、それらの処理部でＳＤＲＡＭ１１４０から読み出した画像データに画像処理が施される。
【００３９】
ここで、ＤＳＰ１１４内の各部の機能を説明する。
【００４０】
ホワイトバランス部１１４１はＲＧＢ利得調整部１１４１ａを備えたもので、Ｒ信号、Ｇ信号、Ｂ信号それぞれが混合されたときに純度の高い白色（つまりホワイト）が得られるようにＲＧＢ利得調整部１１４１ａでＲ信号、Ｇ信号、Ｂ信号それぞれの振幅を調整する。
【００４１】
次にホワイトバランスが調整されたＲ、Ｇ、Ｂ信号それぞれが補間処理部１１４２に供給され、この補間処理部１１４２で隣接する画素どうしの信号が滑らかになるように補間処理が施され、次のＹＵＶ変換部１１４３に供給される。そのＹＵＶ変換部１１４３ではＲ、Ｇ、Ｂ信号が輝度信号Ｙと色差信号Ｕ、Ｖに変換され、後段のＬＰＦ１１４４で高調波成分が取り除かれてＪＰＥＧ圧縮部１１４５に供給される。ＪＰＥＧ圧縮部１１４５では、画像データの圧縮が行われて圧縮された画像データがヘッダとともに画像ファイルとして可搬型メモリ１１５に記録される。このヘッダの中にサムネイル画像を表わすサムネイル画像データが記録されている。
【００４２】
このようにして撮影モード時の画像データの処理が行なわれ、可搬型メモリ１１６に画像データが画像ファイルとして記録される。
【００４３】
次に再生モード時の画像データの流れを説明する。
【００４４】
モード切換スイッチ１０９が再生モード側に切り換えられると、可搬型メモリ１１５から画像ファイルが読み出されて、その画像ファイルのヘッダ部と画像データとが一旦ＳＤＲＡＭ１１５に記憶される。このＳＤＲＡＭ１１５に記憶された画像データがＤＳＰ１１４に読み出されヘッダ部の中の圧縮情報に基づいてＪＰＥＧ伸張部１１４６で伸張され、その伸張された画像データがＲＧＢ変換部１１４７でＲＧＢ信号に変換され、表示画面の解像度にあうように画素が間引かれた後ＬＣＤ１０３に供給される。この例では、このＳＤＲＡＭ１１５が演算処理用のバッファメモリとしてだけではなくて表示用のバッファメモリとしても用いられて、ＪＰＥＧ伸張部１１４６で伸張された後の画像データがＳＤＲＡＭ１１５に記憶されている。
【００４５】
このＳＤＲＡＭ１１５に記憶された原画像データに基づく原画像が表示画面上に表示される。このＳＤＲＡＭ１１５にはインデックス画像の表示を行うために画像ファイルのヘッダの中にあるサムネイル画像データも記憶されている。
【００４６】
図５はＳＤＲＡＭ１１５のメモリアロケーションを示す図である。
【００４７】
図５には、伸張部１１４６で伸張された後の原画像データを記憶する原画像領域１１５２とメモリカードの中の多数の画像ファイルのヘッダ部にあるサムネイル画像を記憶するサムネイル画像領域１１５１とがそれぞれ示されている。
【００４８】
このデジタルカメラで撮影した画像データあるいは同じ解像度を有するデジタルカメラで撮影された画像データであれば、図５（ａ）に示すように問題なくＳＤＲＡＭ１１５の原画像領域１１５２内に記憶され、画像の表示も正常に行なわれる。ところが、高解像度のデジタルカメラで撮影した画像データを、このデジタルカメラを再生モードに切り換えて再生すると、サムネイル画像は問題ないが、高解像度の分、原画像データのサイズが所定の画像サイズを超えてしまって原画像領域１１５２に記憶し切れない。このため、画像データに基づく画像を再生表示すると図２（ｂ）に示すような画像になってしまう。
【００４９】
そこで、可搬型メモリ１１６からサムネイル画像を読み出したときに、そのサムネイル画像に対応する原画像データのサイズを、画像データが記録されている先頭アドレスと終了アドレスなどから算出し、その算出した原画像データのサイズが所定のサイズここでは原画像領域の記憶サイズを超えていた場合にサムネイル画像を表示させない処理がＤＳＰ１１４により行われている。このＤＳＰ１１４が本発明にいう表示制御手段にあたる。
【００５０】
この表示制御部にあたるＤＳＰ１１４は、インデックス画像を構成する複数のサムネイル画像それぞれに対応する各原画像が、所定の画像サイズ以内の画像データであるか否かを判定する判定手段を備え、インデックス画像の表示にあたり、その判定手段により所定の画像サイズを超える画像サイズを有する原画像に対応するサムネイル画像の表示領域に原画像の表示が不能であることが表示されたインデックス画像を表示するものである。
【００５１】
図６はモード切換スイッチ１０９が再生モードに切り換えられた時にその表示制御部であるＤＳＰ１１４が行う処理の手順を示すフローチャートである。
【００５２】
ステップＳ６０１でサムネイル画像表示モードであるか、原画像表示モードであるかを判定する。このステップＳ６０１でサムネイル画像表示であると判定した場合には、ステップＳ６０２へ移行してインデックス画像を構成するサムネイル画像に対応する原画像が再生可能であるかどうかを判定する。このステップＳ６０２では、インデックス画像の表示にあたり、各サムネイル画像の中の１コマ目のサムネイル画像に対応する原画像データが、所定の画像サイズを超える画像サイズを有する原画像データであるかどうかを判定している。このステップＳ６０２で再生可能であると判定したらＹｅｓ側に進みステップＳ６０３でサムネイル画像の表示を行なう。ステップＳ６０２で再生不能であると判定したらＮｏ側に進み、ステップＳ６０４へ移行してエラー表示処理を行なう。このエラー表示処理としてこの例では１コマ目のサムネイル画像の表示に代わり、原画像の表示が不能であることが表示されたインデックス画像を表示するための処理が行なわれる。
【００５３】
ステップＳ６０５からステップＳ６０７で２コマ目の処理を行う、以降３コマ目、４コマ目と同様の処理を行って、ステップＳ６０８〜Ｓ６１０の最終コマ（図６には符号＊コマと示してある）の処理まで行う。なお、最終コマまで途中の処理ステップがあるが、ここでは説明を簡単にするため、途中を点線で示し、ステップＳ６０８からＳ６１０までの処理を最終コマの処理として表記してある。
【００５４】
ステップＳ６０９、またはＳ６１０の処理を行って最終コマまでの処理を終えたら、ステップＳ６１１へ移行する。
【００５５】
ステップＳ６１１でインデックス画像の中のいずれかのサムネイル画像の画像選択が十字キーにより行われたらＹｅｓ側に進み、ステップＳ６２０で原画像が再生可能かどうかを判定する。またステップＳ６１１で画像選択が行われなかったと判定したらＮｏ側に進みステップＳ６１２へ移行する。
【００５６】
ステップＳ６１２でモード切換スイッチ１０９が撮影モード側に切り換えられているどうかを判定する。このステップＳ６１２で撮影モードに切り換えられたと判定したらこのフローの処理を終了し、再生モードのままだと判定したらＮｏ側に進みステップＳ６１１に戻ってインデックス画像の中のサムネイル画像の画像選択が行われたどうかを判定する。
【００５７】
次にステップＳ６１１でＹｅｓ側に進みステップＳ６２０へ移行した場合と原画像表示モードが選択されてステップＳ６２０へ移行した場合の処理の手順を説明する。
【００５８】
ステップＳ６０１で原画像表示モードが選択されていると判定した場合には原画像表示側に進んでステップＳ６２０へ移行する。またステップＳ６１０で画像選択されたと判定してＹｅｓ側に進んだ場合にもこのステップＳ６２０へ移行する。
【００５９】
ステップＳ６２０で、原画像データが再生可能であるか否かを判定し、再生可能であると判定したらＹｅｓ側に進み、ステップＳ６２１で原画像を表示する。このステップで再生不能であると判定したらエラー表示を行なう。ステップＳ６２１またはステップＳ６２２のいずれかの処理を終えたら、ステップＳ６２３へ移行してコマ送りを行うかどうかを判定する。
【００６０】
このステップＳ６２３で十字キーが操作されてコマ送りが指示されていると判定した場合には、ステップＳ６２０に戻って次コマのサムネイル画像に対応する原画像が再生可能であるかどうかを判定する。以降同様の処理を行って、十字キー１０４が操作されずコマ送りが行われていないと判定したらＮｏ側に進み、ステップＳ６２４でモード切換スイッチ１０４が撮影モードに切り換えられたかどうかを判定する。このステップＳ６２４で再生モードのままだと判定したらステップＳ６２３に戻ってコマ送りを行うかどうかを判定し、撮影モードに切り換えられたと判定したら、このフローの処理を終了する。
【００６１】
この図６に示す判定ステップＳ６０４、Ｓ６０７、Ｓ６１０が本発明にいう判定手段にあたる。
【００６２】
図７は、サムネイル画像表示モードが指定されたときに表示されるインデックス画像の一例である。
【００６３】
図７には、図６のステップ６０４、またはステップＳ６０７、またはステップＳ６１０のエラー表示の一例として、サムネイル画像の表示に代わり、原画像の表示が不能であることが非表示（図７には斜線を施してある）となって示されたインデックス画像が表示された例が示されている。
【００６４】
図７に示すように原画像の表示が不能であることが非表示となって表示されたインデックス画像１０３０が表示されると、操作によりインデックス画像１０３０の中からその再生不能である原画像に対応するサムネイル画像が操作により指定されることがなくなる。
【００６５】
図８は、ステップＳ６２２のエラー表示の一例を示す図である。
【００６６】
原画像表示モードが指定されていると、再生不能の原画像が再生されてしまうことがあるが、その場合には、図８に示すように“再生出来ません”という文字のみが表示され、画像データが再生不能であることがユーザに示される。図８の斜線部は非表示であることを示している。
【００６７】
このようにしておくと、再生不能である原画像が表示されて不鮮明な画像が表示されることはない。
【００６８】
図９は、ステップＳ６０４、Ｓ６０７、Ｓ６１０に示すエラー表示として、サムネイル画像の表示とともに原画像の表示が不能であることが文字で表示されたインデックス画像の例が示されている。図９に示すようにサムネイル画像とともに再生表示不能であることが文字で表示されたインデックス画像が表示されても、その再生表示不能であるサムネイル画像を操作して原画像を再生しようとする操作が行われなくなる。なお、この文字の追加も表示制御部であるＤＳＰ１１４により行われる。
【００６９】
このようにしておくと、余計な操作を行わせることなくなり、高解像度の原画像が表示されることがないのでこのデジタルカメラが故障したのではないかという疑念をユーザに生じさせることがなくなる。
【００７０】
なお、本実施形態では再生モードを有するデジタルカメラを例に挙げたが、本発明はデジタルカメラに限定されるものではなく、再生機能を有する撮像装置であればどのようなものにも適用される。また撮影処理部を備えず、画像の再生のみを行う画像再生装置にも適用可能であることは言うまでもない。
【図面の簡単な説明】
【００７１】
【図１】デジタルカメラが再生モードに切り換えられたときに表示されるインデックス画面である。
【図２（ａ）】図１の符号５で示すサムネイル画像が指定されたときに、その指定されたサムネイル画像に対応する原画像１１が表示画面１０上に表示された場合の例を示す図である。
【図２（ｂ）】図１の符号２で示すサムネイル画像が指定されたときに表示画面１０上に原画像１２が表示された場合の例を示す図である。
【図２（ｃ）】図１の符号２で示すサムネイル画像が指定されたときに表示画面１０上にサムネイル画像の拡大画像１３が表示された場合の表示例を示す図である。
【図３】本発明の実施形態であるカメラの外観を前方斜め上方および背面斜め上方から見た構成斜視図である。
【図４】図３のデジタルカメラの内部構成を示す構成ブロック図である。
【図５】ＳＤＲＡＭのメモリアロケーションを示す図である。
【図６】モード切換スイッチ１０９が再生モードに切り換えられた時にＤＳＰ１１４が行う処理の手順を示すフローチャートである。
【図７】図６のステップＳ６０４、またはステップＳ６０８、またはステップＳ６１０でエラー表示が行われた場合のインデックス画像の一例である。
【図８】図６のステップＳ６２２のエラー表示の一例を示す図である。
【図９】原画像の表示が不能であることが表示されたインデックス画像の別例である。
【符号の説明】
【００７２】
１〜９    サムネイル画像
１０    インデックス画像
１００    デジタルカメラ
１０１    レンズ鏡胴
１０２    ファインダの対物窓
１０３    ＬＣＤ
１０３ａ    ＬＣＤパネル
１０４    十字キー
１０４ａ    ＵＰキー
１０４ｂ    ＤＯＷＮキー
１０４ｃ    ＦＦキー
１０４ｄ    ＲＥＷキー
１０５    メニュー釦
１０６    決定釦
１０７    キャンセルキー
１０８    レリーズ釦
１０９    モード切換スイッチ
１１０    ＣＣＤ
１１１    ＣＤＳ
１１２    ＡＧＣ
１１３    ＡＤ変換部
１１４    ＤＳＰ
１１４１    ホワイトバランス部
１１４２    補間処理部
１１４３    ＹＵＶ変換部
１１４４    ＬＰＦ処理部
１１４５    ＪＰＥＧ圧縮部
１１４６    ＪＰＥＧ伸張部
１１４７    ＲＧＢ変換部
１１４８    画像間引き部
１１５    ＳＤＲＡＭ
１１６    可搬型メモリ
【図１】
2005150952.tif 000003
【図２（ａ）】
2005150952.tif 000004
【図２（ｂ）】
2005150952.tif 000005
【図２（ｃ）】
2005150952.tif 000006
【図３】
2005150952.tif 000007
【図４】
2005150952.tif 000008
【図５】
2005150952.tif 000009
【図６】
2005150952.tif 000010
【図７】
2005150952.tif 000011
【図８】
2005150952.tif 000012
【図９】
2005150952.tif 000013